(57)【要約】【課題】オーディオ機器などの音響データ配信装置から携帯電話機などの不特定数の複数の放音装置に対してそれぞれ異なる設定情報に応じた処理を施した音響データを配信する。【解決手段】  通信端末識別情報「Ｄ００１」の通信端末から接続要求を受けると、アドレス「ａｄ００１」〜「ａｄ１００」によって示される作業領域が割り当てられ、その通信端末に送信する音響データ（音データ識別情報Ｍ１１１１を再生処理したもの）に関して音声処理Ａという設定情報を設定できる。この処理を接続要求を受けた不特定数の放音装置のそれぞれに対し行う。オーディオ機器において音データを作業領域毎に独立に再生処理して音響データを得た後、設定された音声処理（例えば音声処理Ａに対しサラウンド処理）が施され、その音響データがオーディオ機器から対応する通信端末識別情報（例えば「Ｄ００１」）の通信端末に送信される。【選択図】図３
2016095363.tif 000002
【特許請求の範囲】
【請求項１】
記憶手段と、
放音装置から要求を受ける度に、当該放音装置に前記記憶手段の作業領域を割り当てる割当手段と、
前記放音装置から指定される音データと、当該音データを再生して得られる音響データに対して設定される設定情報を、当該放音装置に割り当てられた前記作業領域に書き込む書込手段と、
前記作業領域に記憶されている音データを再生処理すると共に、放音装置毎に音データを再生処理して得られた音響データに対し、当該作業領域に記憶されている設定情報に応じた処理を施す処理手段と、
前記放音装置に対し、前記処理手段で処理された音響データを送信する送信手段と
を備える音響データ配信装置。
【請求項２】
前記設定情報は、前記音響データに施す音声処理の内容を含み、  前記処理手段は、前記設定情報に基づいて音声処理を施す
請求項１記載の音響データ配信装置。
【請求項３】
前記音データは、複数のチャネルによって区分されており、
前記設定情報は、複数のチャネルのうちのいずれかを指定する情報を含み、
前記送信手段は、前記設定情報によって指定されるチャネルに対応する音響データを送信する
請求項１記載の音響データ配信装置。
【発明の詳細な説明】
【技術分野】
【０００１】
本発明は、音響データに応じて放音を行う不特定数の通信端末に対して音響データを配信する技術に関する。
【背景技術】
【０００２】
音響データを配信する技術として、例えば特許文献１には、オーディオ機器からブルートゥースなどの近距離無線を用いて携帯電話機に音響データを送信し、さらにこの携帯電話機から電話回線を介して他の携帯電話機に音響データを送信する仕組みが開示されている。これにより、近距離無線機能しか有しないオーディオ機器からその近距離無線の通信範囲外にある遠方の携帯電話機に音響データを配信することが可能となる。
【先行技術文献】
【特許文献】
【０００３】
【特許文献１】特開２０１０−３２９４１号公報
【発明の概要】
【発明が解決しようとする課題】
【０００４】
ところで、携帯電話機などの１又は複数の放音装置のそれぞれについて音響データに関して互いに異なる設定情報を設定しておき、オーディオ機器などの音響データ配信装置から各放音装置に対してそれぞれ異なる設定情報に応じた音響データを配信することができれば便利である。例えば複数の利用者が同一の楽曲を自身の携帯電話機で同時に聞くような場合に、各利用者の好みに応じたエフェクト処理をそれぞれ別々に施したいというような場合である。
【０００５】
そこで、本発明は、音響データ配信装置から不特定数の複数の放音装置に対してそれぞれ異なる設定情報を用いて処理を施した音響データを配信することを目的とする。
【課題を解決するための手段】
【０００６】
上述した課題を解決するため、本発明は、放音装置から要求を受ける度に、当該放音装置に前記記憶手段の作業領域を割り当てる割当手段と、前記放音装置から指定される音データと、当該音データを再生して得られる音響データに対して設定される設定情報を、当該放音装置に割り当てられた前記作業領域に書き込む書込手段と、前記作業領域に記憶されている音データを再生処理すると共に、放音装置毎に音データを再生処理して得られた音響データに対し、当該作業領域に記憶されている設定情報に応じた処理を施す処理手段と、前記放音装置に対し、前記処理手段で処理された音響データを送信する送信手段とを備える音響データ配信装置を提供する。
【０００７】
前記設定情報は、前記音響データに施す音声処理の内容を含み、前記処理手段は、前記設定情報に基づいて前記音響データに音声処理を施すようにしてもよい。
【０００８】
前記音響データは、複数のチャネルによって区分されており、前記設定情報は、複数のチャネルのうちのいずれかを指定する情報を含み、前記送信手段は、前記設定情報によって指定されるチャネルに対応する音響データを送信するようにしてもよい。
【発明の効果】
【０００９】
本発明によれば、オーディオ機器などの音響データ配信装置から携帯電話機などの複数の放音装置に対してそれぞれ異なる設定情報に応じて再生された音響データを配信することができる。
【図面の簡単な説明】
【００１０】
【図１】本発明の一実施例に係る音響データ再生システムの構成を示すブロック図。
【図２】音響データ配信装置の機能構成を示すブロック図。
【図３】音響データ配信装置が記憶する作業領域割当テーブルの一例を示す図。
【図４】作業領域に記憶されている設定情報の一例を示す図。
【図５】音響データ再生システムの動作を示すシーケンス図。
【発明を実施するための形態】
【００１１】
[実施形態]
[構成]
図１は、本発明の一実施例に係る音響データ再生システム１の構成を示すブロック図である。音響データ再生システム１は、音響データ配信装置として機能するオーディオ機器１０１及び無線ＬＡＮ（Local Area Network）ルータ２０２と、放音装置として機能する１又は複数の通信端末（図では３つの通信端末３０１，３０２，３０３）とを備えている。音響データ配信装置として機能するオーディオ機器１０１及び無線ＬＡＮルータ２０２は、図示のようにそれぞれ独立の装置であってもよいし、両者が１つの筐体内に一体化したものであってもよい。また、本実施形態では、オーディオ機器１０１及び無線ＬＡＮルータ２０２間の通信を有線通信とし、無線ＬＡＮルータ２０２及び通信端末３０１間の通信を無線ＬＡＮ通信としている。この構成に代えて、オーディオ機器１０１及び無線ＬＡＮルータ２０２間の通信を無線通信としてもよいし、また、その無線通信方式としては例えば無線ＬＡＮやブルートゥース（登録商標）などの任意のものを採用し得る。同様に、無線ＬＡＮルータ２０２及び通信端末３０１間の通信をブルートゥース（登録商標）などの他の無線通信方式としてもよいし、また、有線通信としてもよい。
【００１２】
オーディオ機器１０１は、ＣＰＵ(Central Processing Unit)などの制御部１１１と、通信ポートや通信制御回路などの通信部１２１と、ハードディスクなどの記憶部１３１と、キーなどの操作部１４１と、液晶ディスプレイなどの表示部１５１とを備えており、例えばＣＤ(Compact Disc)やＤＶＤ(Digital Versatile Disk)などの光記録媒体やハードディスクなどの磁気記録媒体といった音データ記憶媒体１６１から音データを取得して再生する。無線ＬＡＮルータ２０２は、オーディオ機器１０１の通信部１２１と通信端末３０１の無線ＬＡＮ通信部３４３との間のデータ授受を中継する中継装置である。
【００１３】
通信端末３０１〜３０３は、例えば携帯電話機やスマートホン、タブレットなどの通信端末であり、ＣＰＵなどの制御部３１３と、ハードディスクなどの記憶部３２３と、通信アンテナや通信制御回路などを有し移動体通信を行う移動通信部３３３と、通信アンテナや通信制御回路などを有し無線ＬＡＮ通信を行う無線ＬＡＮ通信部３４３と、スピーカなどの放音部３５３と、キーなどの操作部３６３と、液晶ディスプレイなどの表示部３７３とを少なくとも備えている。なお、通信端末３０２，３０３の構成は、通信端末３０１の構成と同じであるため、図１では図示を省略している。
【００１４】
図２は、オーディオ機器１０１及び無線ＬＡＮルータ２０２の機能構成を示すブロック図である。記憶手段４４は、オーディオ機器１０１の記憶部１３１によって実現される機能であり、作業領域割当テーブル、設定情報及び音データを記憶する。割当手段４１は、オーディオ機器１０１の制御部１１１によって実現される機能であり、不特定数の各通信端末３０１〜３０３（つまり放音装置）からの要求に応じて、記憶手段４４の作業領域を割り当てる。書込手段４２は、オーディオ機器１０１の制御部１１１によって実現される機能であり、音データ記憶媒体１６１から読み出した音データと、その音データを再生処理することで各通信端末３０１〜３０３に送信する音響データを生成する際に用いる設定情報とを、当該通信端末に割り当てられた作業領域に書き込む。処理手段４５は、オーディオ機器１０１の制御部１１１によって実現される機能であり、作業領域に記憶されている音データを再生処理すると共に、各通信端末３０１〜３０３毎に音データを再生処理して得られた音響データに対して、上記作業領域に記憶されている設定情報に応じた処理を施す。送信手段４３は、オーディオ機器１０１の通信部１２１及び無線ＬＡＮルータ２０２によって実現される機能であり、各通信端末３０１〜３０３に対し、処理手段４５で処理された音響データを送信する。
【００１５】
ここで、図３は、オーディオ機器１０１の記憶部１３１に記憶されている作業領域割当テーブルの一例を示す図である。この作業領域割当テーブルには、各通信端末３０１〜３０３を識別する通信端末識別情報と、各通信端末３０１〜３０３に割り当てられた記憶手段４４の作業領域のアドレス（記憶エリア上のアドレス）とが対応付けられている。図の例では、例えば通信端末識別情報「Ｄ００１」の通信端末３０１には、アドレス「ａｄ００１」〜「ａｄ１００」によって示される作業領域が割り当てられている。そして、この作業領域には、音データ記憶媒体１６１から読み出された音データと、その音データを再生処理して各通信端末３０１〜３０３に送信する音響データを生成する際に用いられる設定情報とが書き込まれる。例えば図４に示すように、通信端末識別情報「Ｄ００１」の通信端末３０１に割り当てられたアドレス「ａｄ００１」〜「ａｄ１００」の作業領域において、設定情報として、音データを識別する識別情報Ｍ１１１１と音声処理Ａという音声処理の内容が書き込まれている場合、オーディオ機器１０１において識別情報Ｍ１１１１の音データを再生処理する際に音声処理Ａ（例えばエフェクト処理）が施された音響データが、無線ＬＡＮルータ２０２を介して、通信端末識別情報「Ｄ００１」の通信端末３０１に送信されるようになっている。
【００１６】
このように、設定情報は各々の通信端末３０１〜３０３に割り当てられた作業領域に書き込まれており、その設定情報の内容は、上記作業領域が割り当てられている通信端末に対してのみ有効である。特に本実施形態における設定情報は、音データに施す音声処理の内容を含んでおり、オーディオ機器１０１は、その設定情報に基づいて音声処理を施して得た音響データを通信端末３０１〜３０３のそれぞれに送信する。
【００１７】
[動作]
次に図５を参照して本実施形態の動作を説明する。ここでは、通信端末３０１〜３０３の利用者が同一の楽曲を自身の通信端末で同時に聞く場合に、それぞれの利用者の好みに応じたエフェクト処理を施す例を想定する。
【００１８】
図５において、いずれかの通信端末（ここでは通信端末３０１とする）の利用者Ａがオーディオ機器１０１及び通信端末３０１に対して所定の操作を行うと、オーディオ機器１０１と通信端末３０１は、お互いに通信可能となるように、無線ＬＡＮルータ２０２を介して通信コネクションを確立するなどの接続処理を行う（ステップＳ１，２）。このとき、オーディオ機器１０１の制御部は、通信端末３０１からの接続要求に伴い、その通信端末３０１の通信端末識別情報「Ｄ００１」を取得する。同様に、通信端末３０２，３０３の各利用者Ｂ，Ｃがオーディオ機器１０１及び通信端末３０２，３０３に対して所定の操作を行うと、オーディオ機器１０１と各通信端末３０２，３０３は接続処理を行い、オーディオ機器１０１の制御部は、通信端末３０２，３０３からの接続要求に伴い、それぞれの通信端末識別情報「Ｄ００２」、「Ｄ００３」を取得する。
【００１９】
次に、オーディオ機器１０１の制御部１１１は、上記のような各通信端末３０１〜３０３の接続要求に応じて、各通信端末３０１〜３０３に対する作業領域の割り当て処理を行う（ステップＳ３）。具体的には、制御部１１１は、ステップＳ１，２において通信端末３０１〜３０３から取得した通信端末識別情報をそれぞれ作業領域割当テーブルに書き込み、さらに記憶部１３１の空き領域において各通信端末識別情報に対応する、所定サイズの作業領域を特定し、その作業領域のアドレスを各通信端末識別情報に対応付けて作業領域割当テーブルに書き込む。これにより、図３に例示したように、通信端末識別情報「Ｄ００１」の通信端末３０１には、アドレス「ａｄ００１」〜「ａｄ１００」によって示される作業領域が割り当てられ、通信端末識別情報「Ｄ００２」の通信端末３０２には、アドレス「ａｄ１０１」〜「ａｄ２００」によって示される作業領域が割り当てられ、通信端末識別情報「Ｄ００３」の通信端末３０３には、アドレス「ａｄ２０１」〜「ａｄ３００」によって示される作業領域が割り当てられる。この処理は新規の通信端末からの接続要求がある度に行われ、オーディオ機器１０１の処理能力が許す限り、作業領域が各通信端末に割り当てられる。
【００２０】
次に、オーディオ機器１０１の制御部１１１は、音データ記憶媒体１６１に記憶されている音データのリストを各通信端末３０１〜３０３に送信する（ステップＳ４）。このリストは、通信端末３０１〜３０３によって受信され、それぞれの表示部３７３に表示される。
【００２１】
利用者Ａ，Ｂ，Ｃはそれぞれ自身の通信端末３０１〜３０３を操作して設定情報を入力する。ここでは、利用者Ａ，Ｂ，Ｃはお互いに示し合わせた同一の音データを選択するとともに、その音データに対して施すことを望む任意の音声処理の内容を入力する。これに応じて、各通信端末３０１〜３０３の制御部３１３はそれぞれの上記操作を受け付ける（ステップＳ５，６）。ここで入力される音声処理の内容としてはエフェクト処理のほか、例えば単純な音量調整であってもよいし、また通信端末がイヤホン使用の場合にはイヤホンによる放音に適した音声処理などであってもよい。通信端末３０１〜３０３の制御部３１３は、利用者によって選択された音データの識別情報及び音声処理の内容を含む設定情報を、無線ＬＡＮ通信部３４３からオーディオ機器１０１に送信する（ステップＳ７）。
【００２２】
オーディオ機器１０１の制御部１１１は、受信した設定情報を、作業領域割当テーブルによって指定される作業領域に書き込む（ステップＳ８）。例えば通信端末３０１に対応する設定情報として、音データを識別する識別情報Ｍ１１１１と音声処理Ａという音声処理の内容が書き込まれ、通信端末３０２に対応する設定情報として、音データを識別する識別情報Ｍ１１１１と音声処理Ｂという音声処理の内容が書き込まれ、通信端末３０３に対応する設定情報として、音データを識別する識別情報Ｍ１１１１と音声処理Ｃという音声処理の内容が書き込まれる。制御部１１１は、それぞれの上記設定情報によって特定される音データ（識別情報Ｍ１１１１の音データ）を音データ記憶媒体１６１から読み出して通信端末３０１〜３０３に割り当てられた各作業領域にそれぞれ書き込む。そして、制御部１１１は、各作業領域に記憶されている音データの再生処理を行って音響データを得て、さらにそれぞれの通信端末３０１〜３０３に対応する設定情報に対応する音声処理をその音響データに施す（ステップＳ９）。つまり、ここでは、制御部１１１は、作業領域毎に音データを順次独立して再生して音響データを得た後、通信端末３０１に送信する音響データには音声処理Ａを施し、通信端末３０２に送信する音響データには音声処理Ｂを施し、通信端末３０３に送信する音響データには音声処理Ｃを施す。
【００２３】
オーディオ機器１０１の制御部１１１は、利用者の操作に応じて、上記のように各音声処理を施した音響データを独立に再生して、通信端末３０１〜３０３に対する送信を開始する（ステップＳ１０）。この音響データは、通信端末３０１〜３０３によって受信され、それぞれの放音部３５３から放音される（ステップＳ１１）。つまり通信端末３０１〜３０３毎に異なる処理が施されたストリーミング再生が行われる。
【００２４】
上記実施形態によれば、オーディオ機器などの音響データ配信装置から携帯電話機などの不特定数の複数の放音装置に対してそれぞれ異なる設定情報に応じた音響データを配信することが可能となる。
【００２５】
［変形例］
［変形例１］
上記実施形態において、設定情報は、音声処理の内容であったが、これ以外のものが含まれていてもよい。例えば、映画の音声として第１チャネルに英語が含まれ、第２チャネルに日本語が含まれるとか、映画の音声として第１チャネルに主音声が含まれ、第２チャネルに効果音が含まれるというように、音データが複数のチャネルによって区分されている場合がある。この場合、設定情報は、複数のチャネルのうちのいずれかを指定する情報を含み、オーディオ機器１０１は、設定情報によって指定されるチャネルに対応する音響データを通信端末に送信するようにしてもよい。例えば、通信端末３０１に対応する設定情報として、第１チャネル（英語）の識別子が書き込まれ、通信端末３０２に対応する設定情報として、第２チャネルの識別子が書き込まれ、通信端末３０３に対応する設定情報として、第３チャネルの識別子が書き込まれている場合、オーディオ機器１０１（送信手段４３）は、音データを記憶媒体１６１から読み出し、再生処理を行って音響データとする際、通信端末３０１〜３０３の設定情報に含まれるチャネルの識別子に対応する音響データを各通信端末に送信する。つまり、通信端末３０１に送信する音響データは第１チャネルの音であり、通信端末３０２に送信する音響データは第２チャネルの音であり、通信端末３０３に送信する音響データは第３チャネルの音となる。
【００２６】
［変形例２］
設定情報は、音データを識別する識別情報のみであってもよい。例えば、通信端末３０１に対応する設定情報として音データ識別情報ａが書き込まれ、通信端末３０２に対応する設定情報として音データ識別情報ｂが書き込まれ、通信端末３０３に対応する設定情報として音データ識別情報ｃ、が書き込まれている場合、制御部１１１は、音データ識別情報ａの音データを記憶媒体１６１から読み出し、順次再生して通信端末３０１に送信し、音データ識別情報ｂの音データを記憶媒体１６１から読み出して、独立して順次再生し通信端末３０２に送信し、音データ識別情報ｃの音データを記憶媒体１６１から読み出して、独立して順次再生し通信端末３０３に送信する。この変形例は、利用者Ａ，Ｂ，Ｃがそれぞれ異なる任意の楽曲を聞くような場合に好適である。
【００２７】
［変形例３］
オーディオ機器１０１から各通信端末３０１〜３０３に送信する音響データとして、各通信端末に対応する設定情報に応じた処理を施した音響データと、その設定情報に依存しない（つまり設定情報に応じた処理を施さない）音響データとを用いてもよい。例えば、上述した実施形態において各利用者が楽曲や映画等の音響データの再生をイヤホンで楽しんでいる場合に、お互いに会話をしたいような場合がある。このとき、制御部１１１は、楽曲や映画等の音響データについては各通信端末に対応する設定情報に応じた処理を施す一方、各通信端末のマイク(図示せず)で収音した利用者の発話音声をオーディオ機器１０１経由で他の通信端末に配信する場合、この発話音声に対しては、上述した設定情報の内容にかかわらずに、例えば通常の会話用のノイズキャンセルなどの処理を行って配信するようにしてもよい。
【００２８】
［変形例４］
実施形態では、配信対象として音響データのみを扱う場合を示しているが、音響データに加えてビデオデータをも扱うようにしてもよい。
また、実施形態では、音データ記憶媒体１６１から読み出した音データを記憶部３２３（記憶手段４４）の作業領域に記憶していたが、音データ記憶媒体１６１から読み出した音データを記憶部３２３（記憶手段４４）の作業領域に記憶せずに、設定情報に応じた処理を施すようにしてもよい。
実施形態において、オーディオ機器１０１の制御部１１１は、各通信端末３０１〜３０３の接続要求に応じて、各通信端末３０１〜３０３に対する作業領域の割り当て処理を行っていた。ただし、作業領域の割り当て処理を行うトリガとなる、各通信端末３０１〜３０３からの要求は、実施形態で例示した接続要求に限定されず、何らかの要求であればよい。
【００２９】
［変形例５］
本発明は、音響データ配信装置や通信端末と同等の機能をコンピュータに実現させるためのプログラムや、かかるプログラムを記憶させた光ディスク等の記録媒体としても特定され得る。本発明に係るプログラムは、インターネット等のネットワークを介して、コンピュータにダウンロードさせ、これをインストールして利用可能にするなどの形態でも提供され得る。
【符号の説明】
【００３０】
１０１  オーディオ機器、１１１  制御部、１２１  通信部、１３１  記憶部、１４１  操作部、１５１  表示部、１６１  音データ記憶媒体、２０２  無線ＬＡＮルータ、３０１〜３０３  通信端末、３１３  制御部、３２３  記憶部、３３３  移動通信部、３４３  無線ＬＡＮ通信部、３５３  放音部、３６３  操作部、３７３  表示部、４１  割当手段、４２  書込手段、４３  送信手段、４４  記憶手段。
【図１】
2016095363.tif 000003
【図２】
2016095363.tif 000004
【図３】
2016095363.tif 000005
【図４】
2016095363.tif 000006
【図５】
2016095363.tif 000007